(57)【要約】【課題】投光像の照度を低下させずに、投光像の輪郭を拡散させてぼやかすこともできる照明装置11を提供する。【解決手段】投光像の輪郭をはっきりさせる場合には、投光像形成部14のアパーチャ23の開口寸法を光学系13で投光像を結像可能な結像可能範囲ａ内で調整する。投光像の輪郭を拡散させてぼやけさせる場合には、投光像形成部14のアパーチャ23の開口寸法を光学系13で投光像を結像可能な結像可能範囲ａよりも大きい結像可能範囲外に調整する。光学系13の結像可能範囲ａよりも大きい結像可能範囲外にも投光像が入射することにより、結像可能範囲外に入射した光で投光像の輪郭だけが拡散してぼやける。【選択図】図１
2008186596.tif 000002
【特許請求の範囲】
【請求項１】
光源と；
光源からの光を受けて結像した投光像を投光する光学系と；
光学系の光路中に配置されて投光像を形成する開口部を有し、開口部の開口寸法は光学系で投光像を結像可能な結像可能範囲内からこの結像可能範囲よりも大きい結像可能範囲外にわたって調整可能とする投光像形成部と；
を具備していることを特徴とする照明装置。
【発明の詳細な説明】
【技術分野】
【０００１】
本発明は、投光像の拡散性を調整可能とする照明装置に関する。
【背景技術】
【０００２】
従来、舞台やスタジオなどの照明に使用されるムービングライトやリモコンライトを含むスポットライトなどの照明装置では、光源からの光を受けて光学系の光路中に配置された開口部（アパーチャ）で形成する投光像を、光学系で結像して投光している。
【０００３】
このように光学系で結像して投光する場合の投光像の輪郭ははっきりした演出効果が得られるが、投光像の輪郭を拡散させてぼかした演出効果も求められている。投光像の輪郭を拡散させてぼかす場合、光学系の開口絞り付近やレンズ先端付近などの光路上に、光を拡散する拡散フィルタを配置するのが一般的である（例えば、特許文献１参照。）。
【特許文献１】特開２００２−５０２０４号公報（第１０頁）
【発明の開示】
【発明が解決しようとする課題】
【０００４】
しかしながら、光学系の光路上に拡散フィルタを配置した場合、投光像の輪郭だけを拡散させてぼやかすことはできず、投光像の全体が拡散の影響を強く受けてしまい、しかも拡散フィルタの光透過損失によって投光像の照度が低下してしまう。また、拡散フィルタを光路上に配置するスペースが必要となるとともに拡散フィルタを光路上に進退移動させる機構が必要となり、照明装置が大形化し、高価になる問題がある。
【０００５】
本発明は、このような点に鑑みなされたもので、投光像の照度を低下させずに、投光像の輪郭を拡散させてぼやかすこともできる照明装置を提供することを目的とする。
【課題を解決するための手段】
【０００６】
請求項１記載の照明装置は、光源と；光源からの光を受けて結像した投光像を投光する光学系と；光学系の光路中に配置されて投光像を形成する開口部を有し、開口部の開口寸法は光学系で投光像を結像可能な結像可能範囲内からこの結像可能範囲よりも大きい結像可能範囲外にわたって調整可能とする投光像形成部と；を具備しているものである。
【０００７】
光源は、例えば、ハロゲンランプなどのランプや発光ダイオードなどが用いられる。
【０００８】
光学系は、例えば、反射鏡やレンズなどの光学部品が用いられ、光源の光が投光像形成部の開口部を通過した投光像を結像して投光する。光学系では、投光像形成部の開口部を通過した投光像を結像可能な結像可能範囲があり、この結像可能範囲内に投光像が入射されれば、投光像が結像されるために投光像の輪郭がはっきり形成され、一方、結像可能範囲よりも大きい結像可能範囲外にも投光像が入射されれば、結像可能範囲外に入射した光で投光像の輪郭が拡散されてぼやける。
【０００９】
投光像形成部は、例えば、光学系の光路上に配置する開口部の開口寸法の調整可能としている。この調整には、開口部の開口寸法を可変するアイリス機構や、開口寸法の異なる開口部が周方向に配列された円盤を光学系の光路上で移動させることで任意の開口寸法の開口部を光学系の光路上に配置するターレット機構などが用いられる。これらの機構をモータで駆動し、開口部の径寸法を自動的に調整してもよい。
【００１０】
そして、投光像の輪郭をはっきりさせる場合には、投光像形成部の開口部の開口寸法を光学系で投光像を結像可能な結像可能範囲内で調整し、または、投光像の輪郭を拡散させてぼやけさせる場合には、投光像形成部の開口部の開口寸法を光学系で投光像を結像可能な結像可能範囲よりも大きい結像可能範囲外に調整する。光学系の結像可能範囲よりも大きい結像可能範囲外にも投光像が入射することにより、その結像可能範囲外に入射した光で投光像の輪郭だけが拡散されてぼやける。
【発明の効果】
【００１１】
請求項１記載の照明装置によれば、開口部の開口寸法を光学系で投光像を結像可能な結像可能範囲内からこの結像可能範囲よりも大きい結像可能範囲外に可変させることにより、投光像の輪郭だけを拡散させてぼやかすことができ、拡散フィルタを用いた場合のような光透過損失がなく、投光像の照度の低下を防止できる。
【発明を実施するための最良の形態】
【００１２】
以下、本発明の一実施の形態を、図面を参照して説明する。
【００１３】
図１は照明装置で投光像形成部の開口部を結像可能範囲外にした場合の構成図、図２は照明装置で投光像形成部の開口部を結像可能範囲外にした場合の投光像の説明図、図３は照明装置で投光像形成部の開口部を結像可能範囲内にした場合の構成図、図４は照明装置で投光像形成部の開口部を結像可能範囲内にした場合の投光像の説明図、図５は比較例として拡散フィルタを用いた照明装置の構成図、図６は比較例として拡散フィルタを用いた照明装置の投光像の説明図である。
【００１４】
図１および図３に示すように、11は照明装置で、この照明装置11は、例えば舞台やスタジオなどの照明に使用されるムービングライトやリモコンライトなどのスポットライトである。
【００１５】
この照明装置11は、前面に投光像を投光する投光開口が設けられた図示しない照明装置本体を有し、この照明装置本体内に、光源12、この光源12の光を受けて結像した投光像を投光開口から外部へ投光する光学系13、およびこの光学系13の光路上に配置されて投光像を形成する投光像形成部14が配設されている。
【００１６】
そして、光源12は、例えば、ハロゲンランプなどが用いられ、光学系13の光軸13a上に配置されている。
【００１７】
また、光学系13は、光源12を焦点として光源12の光を集光する反射鏡17、光源12からの光を投光像形成部14およびレンズ群19，20に効率よく入射するように補正するレンズ18、投光像を投光する投光用のレンズ群19，20を有している。光学系13のレンズ18とレンズ群19との間に投光像形成部14が配設されている。
【００１８】
この光学系13の投光用のレンズ群19，20では、投光像形成部14を通過して入射する投光像を結像可能な結像可能範囲ａがあり、この結像可能範囲ａ内に投光像が入射されれば、投光像が結像されるために投光像の輪郭がはっきり形成され、一方、結像可能範囲ａよりも大きい結像可能範囲外にも投光像が入射されれば、結像可能範囲外に入射した光で投光像の輪郭が拡散されてぼやけることになる。
【００１９】
また、投光像形成部14は、光軸13aを中心とする円形の開口部としてのアパーチャ23が形成された遮光体24を有している。遮光体24は、アパーチャ23の開口寸法を結像可能範囲ａ内からこの結像可能範囲ａよりも大きい結像可能範囲外にわたって調整可能としており、例えば、周方向に重なり合った複数の絞り羽根によってアパーチャ23を形成するとともにアパーチャ23の開口寸法を可変するアイリス機構や、開口寸法の異なるアパーチャ23が周方向に配列された円盤を光学系13の光路上で移動させることで任意の開口寸法のアパーチャ23を光学系13の光路上に配置するターレット機構などが用いられている。これらの機構はモータを有する駆動機構で駆動し、アパーチャ23の開口寸法を自動的に調整する。
【００２０】
次に、本実施の形態の作用を説明する。
【００２１】
光源12の点灯により、光源12から放射された光が、反射鏡17で反射し、レンズ18に通過して投光像形成部14のアパーチャ23を通過して投光像が形成され、形成された投光像がレンズ群19，20を通じて投光される。
【００２２】
そして、投光像の輪郭をはっきりさせる場合には、図３に示すように、投光像形成部14のアパーチャ23の開口寸法を結像可能範囲ａ内に調整する。これにより、アパーチャ23を通過して形成された投光像がレンズ群19，20の結像可能範囲ａ内に入射されて投光されるので、図４に示すように、レンズ群19，20によって投光像ｂが結像されるために、投光像ｂの輪郭がはっきり形成される。
【００２３】
また、投光像ｂの輪郭を拡散させてぼやかす場合には、図１に示すように、投光像形成部14のアパーチャ23の開口寸法を結像可能範囲ａより大きい結像可能範囲外に拡大させる。これにより、アパーチャ23を通過して形成された投光像がレンズ群19，20の結像可能範囲ａ内とともに結像可能範囲外にも入射され、この結像可能範囲外に入射した光ｃがレンズ群19，20を通じて投光像の外周域に投光される。
【００２４】
そのため、図２に示すように、レンズ群19，20によって結像される投光像ｂの輪郭だけが拡散されてぼやけるようになる。このとき、投光像ｂの中央域の照度は図４に示した投光像ｂの輪郭がはっきり形成した場合と同じであり、したがって、図４に示した輪郭がはっきりした投光像ｂにおいて、その投光像ｂの輪郭だけを拡散させてぼやけさせた状態に相当する。
【００２５】
アパーチャ23は、結像可能範囲ａより大きい結像可能範囲外での開口寸法を調整することにより、投光像ｂの輪郭の拡散具合を調整できる。すなわち、結像可能範囲ａに近いほど、投光像ｂの輪郭の拡散具合が小さく、輪郭がはっきりし、また、結像可能範囲ａよりも拡大するほど、投光像ｂの輪郭の拡散具合が大きく、輪郭がぼやける。ただし、アパーチャ23の開口寸法が光学系13の入射可能な範囲を超えると、投光像ｂの輪郭の拡散具合は変わらなくなる。
【００２６】
なお、図５には、投光像ｂの輪郭をぼやかすのに、レンズ群19とレンズ群20との間に拡散フィルタＦを配置した場合の比較例を示す。レンズ群19を通過して拡散フィルタＦに到達した投光像は、拡散フィルタＦで拡散されてレンズ群20により投光されるため、図６に示すように、投光像ｂの輪郭だけを拡散させてぼやかすことはできず、投光像ｂの全体が拡散の影響を強く受けてしまい、拡散フィルタＦの光透過損失によって投光像ｂの照度が低下してしまう。
【００２７】
このように、アパーチャ23の開口寸法を光学系13で投光像を結像可能な結像可能範囲ａ内からこの結像可能範囲ａよりも大きい結像可能範囲外に可変させることにより、投光像の輪郭だけを拡散させてぼやかすことができ、拡散フィルタを用いた場合のような光透過損失がなく、投光像の照度の低下を防止できる。
【図面の簡単な説明】
【００２８】
【図１】本発明の一実施の形態を示す照明装置で投光像形成部の開口部を結像可能範囲外にした場合の構成図である。
【図２】同上照明装置で投光像形成部の開口部を結像可能範囲外にした場合の投光像の説明図である。
【図３】同上照明装置で投光像形成部の開口部を結像可能範囲内にした場合の構成図である。
【図４】同上照明装置で投光像形成部の開口部を結像可能範囲内にした場合の投光像の説明図である。
【図５】比較例として拡散フィルタを用いた照明装置の構成図である。
【図６】比較例として拡散フィルタを用いた照明装置の投光像の説明図である。
【符号の説明】
【００２９】
11    照明装置
12    光源
13    光学系
14    投光像形成部
23    開口部としてのアパーチャ
ａ    結像可能範囲
【図１】
2008186596.tif 000003
【図２】
2008186596.tif 000004
【図３】
2008186596.tif 000005
【図４】
2008186596.tif 000006
【図５】
2008186596.tif 000007
【図６】
2008186596.tif 000008